(57)【要約】【課題】  操作パネルを下方からネジ止めしても操作パネルのぐらつきを防止できるようにした昇降式収納装置を提供する。【解決手段】  昇降式収納装置は、収納棚２をキッチン用フロアキャビネット１のカウンター上に上昇させるとともにカウンター下に下降させる。前記収納棚２の上面は、天板カウンター４で構成され、この天板カウンター４の前面には凹部４ｅが設けられ、この凹部４ｅに前記収納棚２を昇降操作するための操作パネル７が嵌め込まれている。前記操作パネル７を、前記凹部４ｅから露出するパネル部材７１と、このパネル部材７１を後方から保持した状態で前記凹部４ｅの下面に固定される金属製の保持部材７３とで構成した。【選択図】  図１０
2006296600.tif 000002
【特許請求の範囲】
【請求項１】
キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、
前記収納棚は、当該収納棚の上面を構成する天板カウンターを有し、この天板カウンターの前面には凹部が設けられ、この凹部に前記収納棚を昇降操作するためのスイッチを有した操作パネルが嵌め込まれており、
前記操作パネルは、前記凹部から露出する面に前記スイッチが取付けられたパネル部材と、このパネル部材を後方から保持した状態で前記凹部の下面に固定される金属製の保持部材とを有していることを特徴とする昇降式収納装置。
【請求項２】
前記パネル部材は、後方に開口する形状に形成され、前記保持部材は、前記パネル部材の開口の少なくとも一部を覆っており、前記パネル部材の開口が保持部材に覆われる部分の上部には、当該保持部材よりも後方まで延在するオーバーハング部が設けられていることを特徴とする請求項１に記載の昇降式収納装置。
【請求項３】
前記保持部材は、前記凹部の下面に載置された状態で固定される固定部を有しており、この固定部は、後部が上方に反った形状に形成され、この後部に前記凹部の下面を貫通する固定ネジに螺合可能なネジ孔が形成されていることを特徴とする請求項１または２に記載の昇降式収納装置。
【発明の詳細な説明】
【技術分野】
【０００１】
本発明は、キッチン用フロアキャビネットに設けられる昇降式収納装置に関する。
【背景技術】
【０００２】
一般に、キッチン用フロアキャビネットは、カウンター下に収納部を設けているから、収納物（皿、鍋、調味料等）を出し入れするには、調理作業等を一旦中断して屈んだ状態で収納部から収納物を出し入れする必要があった。
【０００３】
このため、フロアキャビネット上方の天袋に収納部を設けて、収納物を出し入れする際に、収納部を引き下ろせるようにしたものがある（特許文献１、２参照）。
【０００４】
しかしながら、特許文献１、２のような昇降式収納装置は、収納部を引き下ろした時でも、収納部の上段に収納物を出し入れしにくいという問題があった。
【０００５】
また、キッチンとダイニングとの間に壁面が無いオープン型の対面キッチンにおいては、設置すべき壁面が無いので、昇降式収納装置を設置しづらいという問題があった。
【０００６】
そこで、本出願人は、オープン型の対面キッチンに好適で、収納物を出し入れしやすくするために、キッチン用フロアキャビネットのカウンターの一部に形成した昇降用開口内に配置される収納棚（水切り棚）と、この収納棚をカウンター下の収納空間に下降させるとともに、カウンター上に上昇させる昇降機構とを備えた昇降式収納装置を提案した。
【特許文献１】特開２０００−３１６６４３号公報
【特許文献２】特開２００１−１４９２９７号公報
【発明の開示】
【発明が解決しようとする課題】
【０００７】
本出願人の提案に係る昇降式収納装置においては、収納棚の上面は、前面に凹部が設けられた天板カウンターで構成され、この天板カウンターの凹部には、前記収納棚を昇降操作するための各種のスイッチが取付けられた操作パネルが嵌め込まれている。この操作パネルを天板カウンターに固定するには、外観上下方からネジ止めして固定ネジを見え難くしたいという要望があった。
【０００８】
しかしながら、操作パネルを下方からネジ止めすると、操作パネルのスイッチを押圧操作したときに当該操作パネルがぐらつくおそれがある。
【０００９】
本発明は、このような事情に鑑み、操作パネルを下方からネジ止めしても操作パネルのぐらつきを防止できるようにした昇降式収納装置を提供することを目的とする。
【課題を解決するための手段】
【００１０】
前記課題を解決するために、本発明は、キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、前記収納棚は、当該収納棚の上面を構成する天板カウンターを有し、この天板カウンターの前面には凹部が設けられ、この凹部に前記収納棚を昇降操作するためのスイッチを有した操作パネルが嵌め込まれており、前記操作パネルは、前記凹部から露出する面に前記スイッチが取付けられたパネル部材と、このパネル部材を後方から保持した状態で前記凹部の下面に固定される金属製の保持部材とを有していることを特徴とするものである。
【００１１】
パネル部材の上部から凹部内に浸入した水がパネル部材の内部に浸入することを防ぐために、前記パネル部材は、後方に開口する形状に形成され、前記保持部材は、前記パネル部材の開口の少なくとも一部を覆っており、前記パネル部材の開口が保持部材に覆われる部分の上部には、当該保持部材よりも後方まで延在するオーバーハング部が設けられていることが好ましい。
【００１２】
パネル部材の上部と凹部の上面との間から水が浸入することをさらに確実に防止するために、前記保持部材は、前記凹部の下面に載置された状態で固定される固定部を有しており、この固定部は、後部が上方に反った形状に形成され、この後部に前記凹部の下面を貫通する固定ネジに螺合可能なネジ孔が形成されていることが好ましい。
【発明の効果】
【００１３】
本発明によれば、操作パネルをパネル部材と、パネル部材を保持した状態で凹部の下面に固定される金属製の保持部材とで構成したから、保持部材を凹部の下方からネジ止めして固定することで固定ネジを目立たなくすることができるとともに、このようにしてもパネル部材に取付けられたスイッチが押圧操作されたときのパネル部材のぐらつきを保持部材の剛性によって防止することができる。
【発明を実施するための最良の形態】
【００１４】
以下、本発明を実施するための最良の形態について、図面を参照しながら詳細に説明する。
【００１５】
図１および図２はキッチン用フロアキャビネット１であって、図１は収納棚（水切り棚）２が下降位置（不使用時）Ｄの斜視図、図２は収納棚２が上昇位置（使用時）Ｕの斜視図である。前記フロアキャビネット１は、キッチンとダイニング・リビングとの間に壁面が無いオープン型の対面キッチンを想定しているが、オープン型の対面キッチンでなくても可能である。
【００１６】
前記フロアキャビネット１の上面はカウンター１ａで構成されており、このカウンター１ａの右側位置にシンク３が設けられ、シンク３の後方位置に収納棚２が配置されている。なお、シンク３の側方位置に収納棚２を配置することもできる。ここで、左右や前後の方向の表現は、キッチン側でシンク３の前に立ってダイニング・リビング側を向いた者が見た状態としている。
【００１７】
前記収納棚２は、フロアキャビネット１のカウンター１ａに形成された昇降用開口５（図４参照）内に配置されて、この収納棚２は、後述する昇降機構６によって、カウンター下の収納空間１４（図４参照）に下降させる下降位置Ｄと、カウンター上に上昇させる上昇位置Ｕとに昇降されるようになる。図２のように、前記昇降用開口５は、横長四角枠状のカバー枠８で覆われている。
【００１８】
前記収納棚２の内部には、上下２段で食器類の水切り部２ａ，２ｂが設けられているとともに、収納棚２の上面は天板カウンター４で構成されている。
【００１９】
前記天板カウンター４は、図１のように、下降位置Ｄでは、カバー枠８とともに昇降用開口５を覆ってフロアキャビネット１のカウンター１ａの上面と僅かの隙間を隔てて対向し、カウンターの一部を構成することになるから、この天板カウンター４の上をカウンタースペース（作業スペース）として利用することができる。
【００２０】
この天板カウンター４の右側前面位置には、詳しくは後述するが、収納棚２を昇降操作するための操作パネル７が取付けられている。この操作パネル７には、図３に示すように、上昇スイッチ７ａ、停止スイッチ７ｂ、下降スイッチ７ｃ、ロックスイッチ７ｄが設けられるとともに、点灯または点滅することにより各種の状態を報知するＬＥＤ７ｅ，７ｆが設けられている。
【００２１】
図７（ａ）は、天板カウンター４を省略した収納棚２の斜視図である。前記収納棚２は、横長長方形状の上部フレーム２Ａと下部フレーム２Ｂと、縦長長方形状の左側部フレーム２Ｃと右側部フレーム２Ｄとで横長四角枠状に溶接等で一体的に組み立てられていて、下部フレーム２Ｂの下部に水受けトレー１０（図５参照）を取付けている。
【００２２】
前記上部フレーム２Ａと下部フレーム２Ｂと左側部フレーム２Ｃと右側部フレーム２Ｄとの裏面（ダイニング・リビング側）には化粧板１１が取付けられて覆われるとともに、左側部フレーム２Ｃと右側部フレーム２Ｄ、および上部フレーム２Ａには、化粧板１２ａ〜１２ｃがそれぞれ取付けられている。なお、化粧板１１が透光性であると、ダイニング・リビング側の光で収納棚２内を明るくすることができる。
【００２３】
また、上部フレーム２Ａに取付けられた化粧板１２ｃには、換気ファン３５が設けられている。この換気ファン３５は、収納棚２が下降位置Ｄにあるときに、収納空間１４内の空気を外部に排出するためのものであり、当該換気ファン３５には、湿度を検出する湿度センサー（図示せず）が取付けられていて、湿度が所定値以上になったときに駆動するようになっている。
【００２４】
図４〜図６に示すように、前記昇降用開口５に対応するフロアキャビネット１の内部には、下降位置Ｄの収納棚２を収納する収納空間１４が設けられ、この収納空間１４は、左右の側板１４Ａ，１４Ｂと底板１４Ｃとで下方から略Ｕ字状に囲まれ、上方に開口している。そして、左右の側板１４Ａ，１４Ｂと底板１４Ｃとのシンク３側の面は背板１４Ｄで閉じられているとともに、ダイニング側の面は点検用扉１４Ｅで開閉可能に閉じられている。
【００２５】
前記収納空間１４内には、収納棚２の昇降機構６等が収納されている。すなわち、前記収納空間１４の左右の側板１４Ａ，１４Ｂの内面には、上下方向に延在して、奥行き方向に一対のガイドレール１５がそれぞれ固定され、この一対のガイドレール１５の間に位置する左右の側板１４Ａ，１４Ｂの内面には、ガイドレール１５の上端部と下端部とに対応して、上プーリ１６Ａと下プーリ１６Ｂとがそれぞれ固定されている。
【００２６】
前記収納棚２の左側部フレーム２Ｃと右側部フレーム２Ｄとの下部には、図７（ｂ）に示すように、Ｈ字状のブラケット１７がそれぞれ固定され、各ブラケット１７には、前記対応するガイドレール１５に上下摺動可能に嵌り込む合成樹脂製のシュー１８がそれぞれ取付けられている。
【００２７】
そして、前記ブラケット１７のシュー１８がガイドレール１５で上下摺動するようにガイドされることにより、収納棚２がカウンター下の下降位置Ｄと、カウンター上の上昇位置Ｕとに昇降動されるようになる。
【００２８】
前記収納空間１４の底板１４Ｃの左右方向のほぼ中央位置には、電動モータ２０と、この電動モータ２０でチェーン２１ａを介して駆動される２個のドラム２１Ａ，２１Ｂとが設置されて、一方のドラム２１Ａには、左側のベルト２２Ａが下方から巻き付けられて内端部が係止されるとともに、他方のドラム２１Ｂには、右側のベルト２２Ｂが上方から巻き付けられて内端部が係止されている。
【００２９】
前記左側のベルト２２Ａは、左の側板１４Ａの下プーリ１６Ｂと上プーリ１６Ａとに順に掛け回されて、その外端部が前記収納棚２の左側部フレーム２Ｃのブラケット１７に係止されるとともに、前記右側のベルト２２Ｂは、右の側板１４Ｂの下プーリ１６Ｂと上プーリ１６Ａとに順に掛け回されて、その外端部が前記収納棚２の右側部フレーム２Ｄのブラケット１７に係止されるようになる。
【００３０】
したがって、前記操作パネル７の上昇スイッチ７ａを押圧操作することで、電動モータ２０が正転すると、各ドラム２１Ａ，２１Ｂが図５において矢印ａ回りに駆動されて、左右のベルト２２Ａ，２２Ｂが各ドラム２１Ａ，２１Ｂに巻き取られることで、収納棚２の左右のブラケット１７が左右のベルト２２Ａ，２２Ｂで引っ張り上げられながらガイドレール１５でガイドされて上昇することにより、収納棚２がカウンター上の上昇位置Ｕに上昇されるようになる。前記収納棚２が上昇位置Ｕまで上昇されると、電動モータ２０が停止して、逆転しないようにブレーキが掛けられるとともに、上昇スイッチ７ａをさらに押圧操作しても電動モータ２０が正転されないように制御される。
【００３１】
前記操作パネル７の下降スイッチ７ｃを押圧操作することで、電動モータ２０のブレーキが解除されて、収納棚２の左右のブラケット１７がガイドレール１５でガイドされて、収納棚２が自重で下降することにより、収納棚２がカウンター下の下降位置Ｄに下降されるようになる。なお、図５において、１７´は、下降位置Ｄのブラケットを示している。
【００３２】
この場合、電動モータ２０を逆転させながら左右のベルト２２Ａ，２２Ｂを各ドラム２１Ａ，２１Ｂから巻き戻すようになるが、この電動モータ２０の逆転は、収納棚２が自重で急激に下降しないようにブレーキを掛けるように設定されている。なお、下降スイッチ７ｃを押圧操作すると、収納棚２がカウンター下の下降位置Ｄに自動下降されるが、下降位置Ｄの手前（例えば５０ｍｍ程度）までは、自動下降するが、それ以上の下降は、下降スイッチ７ｃを押圧操作し続けなければ下降しないようにすれば（いわゆる２段押し）、安全性を高めることができる。
【００３３】
また、前記操作パネル７の停止スイッチ７ｂを押圧操作すると、電動モータ２０が停止して、収納棚２を上昇途中位置または下降途中位置でストップさせることができる。
【００３４】
さらに、操作パネル７のロックスイッチ７ｄを設定した時間（例えば３秒間）押圧操作し続けると、上側のＬＥＤ７ｅが点灯してロック状態となり、各スイッチ７ａ〜７ｃを押圧操作してもその操作は無効となる。逆に、ＬＥＤ７ｅが点灯した状態で、ロックスイッチ７ｄを設定時間押圧操作し続けると、ＬＥＤ７ｅが消灯してロック状態が解除される。
【００３５】
また、収納棚２の昇降操作の異常や過積載等は、上側のＬＥＤ７ｅの点滅により報知されるとともに図略のブザーによって警報されるようになっている。
【００３６】
前記各スイッチ７ａ〜７ｄ及びＬＥＤ７ｅ，７ｆは、後述する操作パネル７内でスイッチ基板７２（図１２参照）に接続され、このスイッチ基板７２は、前記収納空間１４の底板１４Ｃの上に取付けられた制御ボックス３２（図４参照）の制御回路に接続されている。なお、前記電動モータ２０も、前記制御ボックス３２の制御回路に接続されている。
【００３７】
一方、図４および図５に示すように、前記収納棚２の水受けトレー１０の底部は、中央部が下向きに窪むように形成されて、この底部の中央部には排水口１０ａが設けられている。この排水口１０ａにフレキシブルな排水パイプ２５の一端２５ａが連結されるとともに、この排水パイプ２５の他端２５ｂは、前記収納空間１４の背板１４Ｄの内壁面に取付けた水受けマス２６の上部位置に連結されている。
【００３８】
前記水受けマス２６は、上部が開口した四角箱状であり、この水受けマス２６の下部にはＵ字状の排水トラップ２７の入口端が連結されるとともに、この排水トラップ２７の出口端には排水管２８が連結されている。この排水管２８は、前記収納空間１４の底板１４Ｃの開口１４ａから下水配管等（図示せず。）に連結されている。
【００３９】
さらに、前記収納空間１４の背板１４Ｄの内壁面に取付けた水受けマス２６とほぼ同じ高さ位置に、傾斜させた水受け樋３０が背板１４Ｄの内壁面に水密状態で取付けられて、この水受け樋３０の傾斜下側は、水受けマス２６の上部位置に連結されている。この水受け樋３０は、前記昇降用開口５の前側のほぼ真下に位置させている。
【００４０】
なお、図示は省略するが、前記排水トラップ２７には、水位センサーが設けられており、排水トラップ２７内の水の有無は下側のＬＥＤ７ｆの点灯及び消灯によって報知され、排水トラップ２７内の異常は操作パネル７の下側のＬＥＤ７ｆの点滅によって報知されるとともに図略のブザーによって警報されるようになっている。
【００４１】
前記天板カウンター４は、図８〜図１０に示すように、前記収納棚２の上部フレーム２Ａより一回り大きな横長長方枠形状の基礎フレーム４ｃと、この基礎フレーム４ｃの上面に固定される横長長方形状の化粧天板４ａと、基礎フレーム４ｃの外側面に固定される化粧側板４ｂと、基礎フレーム４ｃの内側に嵌め込まれて化粧天板４ａの下面に接触した状態で固定される中板４ｄとを有しており、中板４ｄが上部フレーム２Ａの上面に載置された状態で固定されている。なお、前記中板４ｄの下面には、補強板４ｇが取付けられている。
【００４２】
前記基礎フレーム４ｃは、断面形状が矩形筒状のフレームが組み合わされて構成されており、前側の左右に延在する前フレーム４１の前壁４１ｃの右側部分が切り欠かれている一方、前記化粧側板４ｂもこの切り欠きに対応する部分が切断されていて、これにより天板カウンター４の前面に開口する凹部４ｅが形成されている。すなわち、凹部４ｅは、上方を前フレーム４１の上壁４１ａ及び化粧天板４ａに、下方を前フレーム４１の下壁４１ｂに、左右を化粧側板４ｂの切断された端面で囲まれて構成されている。
【００４３】
そして、この凹部４ｅに前記操作パネル７が嵌め込まれている。
【００４４】
この操作パネル７は、図１１及び図１２に示すように、後方に開口する形状のパネル部材７１と、このパネル部材７１を後方から保持する金属製の保持部材７３とを備えている。
【００４５】
前記パネル部材７１は、横長長方形板状の主部７１ａと、この主部７１ａの後面に連設される横長長方形筒状の周壁７１ｂとを有している。
【００４６】
前記主部７１ａは、上端面が前記凹部４ｅの上面である化粧天板４ａの下面に当接するとともに左右の端面が凹部４ｅの左右の側面である化粧側板４ｂの切断された端面に当接可能な形状に形成され、それらの当接により凹部４ｅ内に水が浸入するルートが塞がれるようになっている。また、主部７１ａの前面は、凹部４ｅから露出して、この主部７１ａの前面に前記各スイッチ７ａ〜７ｄ及びＬＥＤ７ｅ，７ｆが取付けられている。
【００４７】
また、主部７１ａの下端部には、略全長に亘って前記周壁７１ｂの下側で後方に延在する塞ぎ板７１ｄが連設されており、この塞ぎ板７１ｄによって主部７１ａの下端部と前記前フレーム４１との隙間が塞がれるようになっている。
【００４８】
前記周壁７１ｂの内部には、プリント回路基板等からなるスイッチ基板７２が前記主部７１ａと略平行な姿勢で配設されている。また、周壁７１ｂの左右の内側面には、前後方向に延在する一対の突条部７１ｆが設けられており、この突条部７１ｆの後端面にネジ孔７１ｅが形成されている。
【００４９】
前記保持部材７３は、一枚の金属板から折り曲げ形成されたものであり、前記パネル部材７１の周壁７１ｂの開口を略全面に亘って閉塞した状態で当該周壁７１ｂを左右方向から挟持可能なように、平面視で略コ字状の形状をなしている。
【００５０】
この保持部材７３には、前記ネジ孔７１ｅに対応する位置に貫通孔７３ｃが設けられており、この貫通孔７３ｃから図略の固定ネジが前記ネジ孔７１ｅに締め込まれることにより、保持部材７３がパネル部材７１を保持するようになっている。
【００５１】
パネル部材７１の周壁７１ｂの上壁部には、当該上壁部がそのまま前記保持部材７３よりも後方まで延在するような形状のオーバーハング部７１ｃが設けられている。
【００５２】
また、保持部材７３の左右両端部の下端部には、前記凹部４ｅの下面（前フレーム４１の下壁４１ｂ）に載置された状態で固定される固定部７３ａが形成されている。この固定部７３ａは、前記下面と略平行に折り曲げ形成されており、固定部７３ａには、バーリング加工が施されてネジ孔７３ｂが形成されている。
【００５３】
前記固定部７３ａの下面は、保持部材７３がパネル部材７１を保持した状態で、パネル部材７１の周壁７１ｂの外側下面よりも下方に位置するとともに、前記塞ぎ板７１ｄとの間に所定の隙間を形成するようになっており、この固定部７３ａと塞ぎ板７１ｄとで前記前フレーム４１の下壁４１ｂを上下方向から挟み込むことができるようになっている。
【００５４】
一方、前記前フレーム４１の下壁４１ｂには、前記固定部７３ａのネジ孔７３ｂに対応する位置に貫通孔４ｆが設けられており、この貫通孔４ｆから固定ネジ７５がネジ孔７３ｂに締め込まれることにより、保持部材７３がパネル部材７１を保持した状態で凹部４ｅの下面に固定されるようになっている。
【００５５】
なお、保持部材７３の左側部分（図１１では右側部分）には、下端部から略コ字状に切り込まれた切り欠き７３ｄが形成されており、この切り欠き７３ｄから前記スイッチ基板７２に接続されるハーネスが挿通可能となっている。
【００５６】
前記のようなフロアキャビネット１であれば、フロアキャビネット１のカウンター１ａに形成した昇降用開口５内に設置した収納棚２を、不使用時にはカウンター下の収納空間１４に下降させるとともに、使用時にはカウンター上に上昇させるようにしたから、キッチンとダイニングとの間に壁面が無いオープン型の対面キッチンに好適であって、収納棚２をカウンター上に上昇させれば、屈まずに収納棚２から収納物を出し入れできるようになる。
【００５７】
また、収納棚２は、カウンター上に上昇させるだけであるから、収納棚２のいずれの段にある食器等の収納物でも出し入れしやすくなるとともに、収納棚２をカウンター下の収納空間１４に下降させれば、カウンター上面を広く使えるようになるとともに、カウンター上での別の作業の邪魔にならなくなる。
【００５８】
一方、操作パネル７を、パネル部材７１と、パネル部材７１を保持した状態で凹部４ｅの下面に固定される金属製の保持部材７３とで構成したから、保持部材７３を凹部４ｅの下方からネジ止めして固定することで固定ネジ７５を目立たなくすることができるとともに、このようにしてもパネル部材７１に取付けられた各スイッチ７ａ〜７ｄが押圧操作されたときのパネル部材７１のぐらつきを保持部材７３の剛性によって防止することができる。
【００５９】
また、パネル部材７１の周壁７１ｂにオーバーハング部７３ｃを設けたから、図１０中の矢印ａで示すようにパネル部材７１の主部７１ａの上端面と化粧天板４ａの下面との間から凹部４ｅ内に万が一水が浸入したとしても、この水はオーバーハング部７１ｃから保持部材７３の後方に落下するため、パネル部材７１の内部に水が浸入することを防ぐことができる。
【００６０】
そして、前記パネル部材７１の主部７１ａの上端面と化粧天板４ａの下面との間からの水の浸入をさらに確実に防ぐには、前記保持部材７３の固定部７３ａを利用して次のようにすればよい。
【００６１】
例えば、図１３（ａ）に示すように、固定部７３ａの下面に、ネジ孔７３ｂよりも前側位置に突起７３ｄを設ける。
【００６２】
このようにすれば、前フレーム４１の下壁４１ｂの貫通孔４ｆからネジ孔７３ｂに固定ネジ７５を締め込むと、保持部材７３及び保持部材７３に保持されているパネル部材７１は、図中の矢印ｂで示すように突起７３ｄを支点として上方に回動する。これにより、パネル部材７１の主部７１ａの上端面が化粧板４ａの下面に圧接され、これらの間の隙間から水が浸入することを防ぐことができる。
【００６３】
または、図１３（ｂ）に示すように、固定部７３ａを後部が上方に反った形状に形成し、この後部にネジ孔７３ｂを形成するようにしてもよい。
【００６４】
このようにすれば、前記突起７３ｄを設けるよりも簡単な構成で前記効果を得ることができる。すなわち、前フレーム４１の下壁４１ｂの貫通孔４ｆからネジ孔７３ｂに固定ネジ７５を締め込むと、保持部材７３及び保持部材７３に保持されているパネル部材７１は、図中の矢印ｃで示すように固定部７３ａの反った部分７３ｅを支点として上方に回動する。これにより、パネル部材７１の主部７１ａの上端面が化粧板４ａの下面に圧接され、これらの間の隙間から水が浸入することを防ぐことができる。
【００６５】
なお、前記実施形態では、保持部材７３はパネル部材７１の周壁７１ｂの開口を略全面に亘って閉塞する形状に形成された形態を示したが、保持部材７３は、周壁７１ｂの開口の上部のみを覆う形状であってもよい。
【００６６】
また、保持部材７３は、パネル部材７１を左右方向から挟持する必要はなく、パネル部材７１の左右方向の中央部で当該パネル部材７１を保持していてもよく、パネル部材７１を後方から保持する形状であればよい。
【００６７】
そして、オーバーハング部７１ｃは、周壁７１ｂの上壁部の全長に亘って設けられている必要はなく、保持部材７３によって後方に開口する形状が覆われる部分に設けられていればよい。
【００６８】
また、前記実施形態では、フロアキャビネット１の昇降式収納装置として、収納棚２の１つである水切り棚を例にとったが、これに限られるものではなく、食器乾燥器または食器洗い乾燥器であってもよい。
【図面の簡単な説明】
【００６９】
【図１】本発明の実施形態を示すキッチン用フロアキャビネットであり、収納棚が下降位置の斜視図である。
【図２】本発明の実施形態を示すキッチン用フロアキャビネットであり、収納棚が上昇位置の斜視図である。
【図３】操作パネルの正面図である。
【図４】昇降式収納装置をダイニング・リビング側から見た斜視図である。
【図５】昇降式収納装置をダイニング・リビング側から見た正面図である。
【図６】（ａ）は収納棚を省略した昇降式収納装置の平面図、（ｂ）は昇降式収納装置の要部断面側面図である。
【図７】（ａ）は天板カウンターを省略した収納棚の斜視図、（ｂ）はガイドレールとブラケットの斜視図である。
【図８】収納棚を下方から見上げた斜視図である。
【図９】天板カウンターの分解斜視図である。
【図１０】図８のＡ−Ａ線断面図である。
【図１１】（ａ）は操作パネルを後方から見たときの斜視図、（ｂ）はその分解斜視図である。
【図１２】図１１（ａ）のＢ−Ｂ線断面図である。
【図１３】（ａ）は保持部材の固定部に突起を設けたときの側面図、（ｂ）は固定部の後部を上方に反らせたときの側面図である。
【符号の説明】
【００７０】
１      キッチン用フロアキャビネット
１ａ    カウンター
１４    収納空間
２      収納棚
４      天板カウンター
４ａ    化粧天板
４ｂ    化粧側板
４ｃ    基礎フレーム
４ｄ    中板
４ｅ    凹部
５      昇降用開口
６      昇降機構
７      操作パネル
７ａ〜７ｄ  スイッチ
７ｅ，７ｆ  ＬＥＤ
７１    パネル部材
７１ａ  主板
７１ｂ  周壁
７１ｃ  オーバーハング部
７２    スイッチ基板
７３    保持部材
７３ａ  固定部
７３ｂ  ネジ孔
７５    固定ネジ
【図１】
2006296600.tif 000003
【図２】
2006296600.tif 000004
【図３】
2006296600.tif 000005
【図４】
2006296600.tif 000006
【図５】
2006296600.tif 000007
【図６】
2006296600.tif 000008
【図７】
2006296600.tif 000009
【図８】
2006296600.tif 000010
【図９】
2006296600.tif 000011
【図１０】
2006296600.tif 000012
【図１１】
2006296600.tif 000013
【図１２】
2006296600.tif 000014
【図１３】
2006296600.tif 000015